(57)【特許請求の範囲】
【請求項１】
光システムの送信器であって、
ノイズを含む光搬送信号を出力するレーザと、
受信される直交振幅変調入力信号に基づいて前記光搬送信号を変調して変調光信号を出力する変調器とを備え、
前記直交振幅変調入力信号は前記ノイズを補償する項と波長追跡のための項とを含み、前記ノイズを補償する項は、前記光搬送信号の周波数誤差の計測による前記ノイズの算出に基づく項であり、前記波長追跡のための項は、パイロットトーン周波数、追跡データ、及び最大周波数偏差を含み、前記光搬送信号は、前記追跡データの前記パイロットトーン周波数で変調されることを特徴とする送信器。
【請求項２】
前記ノイズはレーザ位相ノイズからなることを特徴とする請求項１に記載の送信器。
【請求項３】
前記変調器は光ＩＱ変調器であることを特徴とする請求項１に記載の送信器。
【請求項４】
前記ノイズの補償のための各項は、前記ノイズに対してほぼ等しく反対の位相を有する信号表現を含むことを特徴とする請求項１に記載の送信器。
【請求項５】
前記ノイズの補償のための各項は、前記出力搬送信号の位相の時間差分の計測に基づくものであることを特徴とする請求項１に記載の送信器。
【請求項６】
ノイズを含む光搬送信号を出力するレーザと、
受信される直交振幅変調入力信号に基づいて前記光搬送信号を変調して変調光信号を出力する変調器とを備える送信器と、
前記送信器に通信可能に接続され、
前記光搬送信号の周波数誤差を計測し、
前記光搬送信号の周波数誤差に基づいて前記ノイズを算出し、
前記ノイズに基づいて前記ノイズを補償する項と波長追跡のための項とを含む前記直交振幅変調入力信号を生成するプロセッサと、
を備え、
前記波長追跡のための項は、パイロットトーン周波数、追跡データ、及び最大周波数偏差を含み、前記光搬送信号は、前記追跡データの前記パイロットトーン周波数で変調されることを特徴とするシステム。
【請求項７】
前記ノイズはレーザ位相ノイズからなることを特徴とする請求項６に記載のシステム。
【請求項８】
前記変調器は光ＩＱ変調器であることを特徴とする請求項６に記載のシステム。
【請求項９】
前記プロセッサを、前記ノイズに対してほぼ等しく反対の位相を有する信号表現を含むノイズの補償のための各項を生成するように構成することを特徴とする請求項６に記載のシステム。
【請求項１０】
前記プロセッサを、前記ノイズの補償のための各項は、前記出力搬送信号の位相の時間差分の計測に基づいて前記ノイズを算出するように構成することを特徴とする請求項６に記載のシステム。
【請求項１１】
光デバイスシステムにおけるノイズの補償のための方法であって、
光搬送信号の周波数誤差を計測し、
前記光搬送信号の周波数誤差に基づいて、前記光搬送信号内に存在するノイズを算出し、
前記ノイズに基づいて前記ノイズの補償のための項と波長追跡のための項とを含む直交振幅変調入力信号を生成し、
前記直交振幅変調入力信号に基づいて前記光搬送信号を変調して変調光信号を生成する、
ことを備え、
前記波長追跡のための項は、パイロットトーン周波数、追跡データ、及び最大周波数偏差を含み、前記光搬送信号は、前記追跡データの前記パイロットトーン周波数で変調されることを特徴とする方法。
【請求項１２】
前記ノイズはレーザ位相ノイズからなることを特徴とする請求項１１に記載の方法。
【請求項１３】
前記ノイズの補償のための各項は、前記ノイズに対してほぼ等しく反対の位相を有する信号表現を含むことを特徴とする請求項１１に記載の方法。
【請求項１４】
前記ノイズの算出は、前記ノイズを計測する前記出力搬送信号の位相の時間差分の計測に基づくものであることを特徴とする請求項１１に記載の方法。
【発明の詳細な説明】
【技術分野】
【０００１】
本発明は、一般的に光ネットワークに関し、さらに詳しくは、光デバイスにおけるレーザ位相および周波数ノイズの補償方法およびシステムに関する。
【背景技術】
【０００２】
電気通信システム、ケーブルテレビシステム、およびデータ通信ネットワークは、遠隔地間で大量の情報を迅速に伝送するために、光ネットワークを使用する。光ネットワークにおいては、情報は、光ファイバを介して、光信号の形態で伝送される。光ファイバは、長距離にわたって非常に低い損失で信号を通信可能なガラスの細い繊維から成っている。光ネットワークは、様々な波長または光周波数（“チャネル”としても知られている）での変調信号を単一の光ファイバに合成するように構成することができる。それぞれの異なるチャネルは、光ネットワークを通じて通信されるように光学的に符号化された情報を含んでよい。そのような様々なチャネルを単一のファイバに合成する処理は、波長分割多重化（ＷＤＭ）として知られている。
【０００３】
光信号は、ファイバに電磁エネルギー源を与えるレーザの有限線幅に帰因して、位相ノイズを有する可能性がある。そのようなレーザ位相ノイズは、分散を有することで、コヒーレント受信器において等化増強位相雑音（equalization-enhanced phase noise）が発生することにより、コヒーレント光通信システムにおける高効率光ＱＡＭ信号の伝送性能に制限を与える可能性がる。位相雑音は、波形位相の高速で短期間のランダムな変動の周波数域での表現である。それは、時として“ジッタ”として知られる時間域不安定性に帰因する。波長分散を有するレーザ位相ノイズに帰する信号劣化は、特に光信号が分布帰還型（ＤＦＢ）レーザを用いて生成されるときに、顕著になる。
【０００４】
位相ノイズ性クロストークの問題を解決するための伝統的な手法は、レーザを狭線幅で使用することを含む。しかしながら、狭線幅レーザは、しばしばより広線幅のレーザよりも高価で複雑であり、このため、そのようなコストのために望ましくない場合が多い。
【発明の概要】
【０００５】
本開示の実施形態によって、光デバイスにおけるノイズ補償のための方法が提供される。その方法は、光搬送信号に存在するノイズを算出することを含んでよい。その方法はまた、それぞれがその評価されたノイズに基づくノイズの補償のための項を含む直交振幅変調（直角位相振幅変調）入力信号を生成することを含んでよい。その方法はさらに、直交振幅変調入力信号に基づいて光搬送信号を変調して変調光信号を生成することを含んでよい。
【０００６】
本発明の一つ以上の実施形態の技術的優位性は、より狭線幅のレーザ源を採用する必要なく、光システムにおける位相ノイズおよび／または周波数ノイズを低減または除去することを含むことができる。
【０００７】
本発明の様々な実施形態は、その列挙した技術的優位性の一部または全部を含んでよいことを理解されたい。あるいはその列挙した技術的優位性のなにも含まなくてもよいことを理解されたい。加えて、本発明の他の技術的優位性は、ここに含まれる図面、説明、および請求項から、当業者には容易に明らかであってよい。
【図面の簡単な説明】
【０００８】
本発明ならびにその特徴及び効果を完全に理解するために、添付図面を参照して、以下に詳細に説明を行なう。
【図１】本開示の実施形態による、理想的なゼロ線幅レーザを有する光送信器の例の選択された構成要素を示す図である。
【図２Ａ】本開示の実施形態による、有限線幅レーザを有する光送信器の例の選択された構成要素を示す図、また本開示の実施形態によるレーザ位相ノイズ補償を示す図である。
【図２Ｂ】本開示の実施形態による、図２Ａに示される光送信器の例を示す図、また本開示の実施形態によるレーザ位相ノイズ補償および波長追跡を示す図である。
【図３】本開示の実施形態による、光デバイスにおいてレーザ位相ノイズを補償するためのシステムの選択された構成要素を示す図である。
【図４】本開示の実施形態による、レーザ位相ノイズ計測モジュールの例を示す図である。
【図５】本開示の実施形態による、波長分割多重化のためのレーザ位相ノイズ補償の実施例を示す光システムの例を示す図である。
【図６】本開示の実施形態による、図５に示されるシステムの誤差検出器の例を示す図である。
【発明を実施するための形態】
【０００９】
図１は、本開示の実施形態による、理想的なゼロ線幅レーザ１０１を有する光送信器１０２の例の選択された構成要素を示す。図１に示されるように、レーザ１０１は、電磁エネルギーの信号１０４を送出してよい。信号１０４は、式
0005978611.tif 000002
として示される。ここで、ω0 は、信号１０４の光搬送角周波数である。光ＩＱ変調器１０６は、信号１０４について直交振幅変調（ＱＡＭ）を実行して、その出力において変調光信号１０８を生成してよい。ＩＱ変調器１０６は、当該技術分野において周知であるように、ＩＱ変調器１０６への電気的ＱＡＭ信号
0005978611.tif 000003
および
0005978611.tif 000004
入力に基づいて、変調信号１０８を出力してよい。図１に示される光送信器１０２で、変調出力信号１０８は、Ｕ（ｔ，ω0 ）によって示すことができ、ここで、
【数１】
0005978611.tif 000005
である。また、
0005978611.tif 000006
は、複素ＱＡＭデータ変調である。換言すれば、
【数２】
0005978611.tif 000007
である。
【００１０】
図２Ａは、本開示の実施形態による、有限線幅レーザ２０１を有する光送信器２０２の例の選択された構成要素を示す。送信器２０２は、光信号を送信するように構成される任意の送信器または他の適切なデバイスであってよい。送信器２０２は、情報を受信して或る波長で変調された光信号２０８を送信するように構成されてよい。送信器２０２はまた、その関連付けられた波長でこの光符号化された情報を送信するように構成されてよい。
【００１１】
図２ａに示されるように、送信器は、有限線幅レーザ２０１とＩＱ変調器２０６を含んでよい。レーザ２０１は、電磁エネルギーの信号２０４を送出するように構成される任意のシステム、デバイス、または装置であってよい。信号２０４は、式
0005978611.tif 000008
によって表現されてよい。ここで、ω0 は、信号２０４の光搬送角周波数であり、φLN（ｔ）は、時間の関数としての搬送信号２０４の位相ノイズである。
【００１２】
光ＩＱ変調器２０６は、光搬送信号（例えば光信号２０４）上でＱＡＭを実行してその出力において変調信号（例えば光り信号２０８）を生成するように構成される任意の適切な変調器または他の適切なデバイスを含んでよい。ＩＱ変調器２０６は、当該技術分野において周知であるように、ＩＱ変調器２０６への電気的ＱＡＭ信号
0005978611.tif 000009
および
0005978611.tif 000010
入力に基づいて、変調信号２０８を生成してよい。電気的ＱＡＭ入力信号
0005978611.tif 000011
および
0005978611.tif 000012
は、図１に示される送信器１０２の電気的ＱＡＭ入力信号
0005978611.tif 000013
および
0005978611.tif 000014
に或る関連性を持ってよい。しかしまた、位相ノイズφLN(t) に対して、等しいが位相が反対の項を含んでよい。例えばもし、
【数３】
0005978611.tif 000015
であれば、変調出力信号２０８は、Ｕ（t,ω0 ）によって表現することができ、ここで、
【数４】
0005978611.tif 000016
となる。このように、もし、ＩＱ変調器２０６への電気的ＱＡＭ入力信号がレーザ位相ノイズを説明するために上述のように変形されるならば、変調出力信号２０８は、変調出力信号１０８と同様の特性を有することがわかる。これは、レーザ位相ノイズが電気的ＱＡＭ入力信号に対するその変形によってキャンセルされることを意味する。
【００１３】
その位相ノイズ項は、図３および図４に関して以下にさらに詳細に示すように、その位相ノイズの計測に基づいて、ＩＱ変調器２０６へのＱＡＭ入力信号に加えられてよい。
【００１４】
図２Ｂは、本開示の実施形態による、図２Ａに示される光送信器の例を示す。また、本開示の実施形態によるレーザ位相ノイズ補償および波長追跡を示す。波長追跡は一般に、ネットワーク管理システムが与えられた光チャネルの経路をそれが光ネットワークを伝達してゆくときに入力から出力まで追跡できるようにするための方法を意味する。そのような追跡は、チャネル項目表を与え、様々な波長に対してサービスパラメータの品質を定義し、および／または光チャネル経路に対する診断を提供してよい。
【００１５】
図２Ｂに示されるように、ＩＱ変調器２０６は、当該技術分野において周知であるように、ＩＱ変調器２０６への電気的ＱＡＭ入力信号
0005978611.tif 000017
および
0005978611.tif 000018
入力に基づいて、変調出力信号２０９を生成してよい。電気的ＱＡＭ入力信号
0005978611.tif 000019
および
0005978611.tif 000020
は、図２Ａに示される電気的ＱＡＭ入力信号
0005978611.tif 000021
および
0005978611.tif 000022
に或る関連性を持ってよい。しかしまた、波長追跡のための項を含んでよい。例えば、
【数５】
0005978611.tif 000023
であるとする。ここで、ｆp は追跡されるべき波長に関連するパイロットトーン周波数であり、ｘd （ｔ）は追跡データであり、Ａf は最大周波数偏差である。波長追跡を実行するために、光搬送波は追跡データのパイロットトーン周波数でゆっくりと変調されてよい。そのパイロットトーン周波数は、ｋＨｚのオーダを有してよく、ＱＡＭデータ帯域幅の外側であってよい。これにより、変調出力信号２０９は、Ｕ’’（ｔ，ω0 ）によって表現することができ、ここで、
【数６】
0005978611.tif 000024
である。このように、もし、ＩＱ変調器２０６への電気的ＱＡＭ入力信号が、レーザ位相ノイズを説明するために上述のように変形され、また波長追跡を導入するならば、変調出力信号２０８は、波長追跡を考慮にいれた項を除いて、変調出力信号１０８と同様の特性を有することがわかる。これは、レーザ位相ノイズが光ＩＱ変調器２０６への電気的ＱＡＭ入力信号に対する変形によってキャンセルされることを意味する。
【００１６】
その位相ノイズ項および波長追跡項は、図３および図４に関して以下にさらに詳細に示すように、ＩＱ変調器２０６へのＱＡＭ入力信号に加えられてよい。
【００１７】
図３は、本開示の実施形態による、光デバイスにおいてレーザ位相ノイズを補償するためのシステム３００の選択された構成要素を示す。いくつかの実施形態において、システム３００は、光送信器を構成し、またはその一部であってよい。図３に示されるように、システム３００は、レーザ２０１、遅延モジュール３０４、および光ＩＱ変調器２０６、レーザ位相ノイズ計測モジュール３０１、プロセッサ３０２、送信データ３０６の発信源、波長追跡データ３０８の発信源、およびデジタル−アナログ変換器（ＤＡＣ）３１０を含んでよい。レーザ２０１は、図２Ａおよび図２Ｂに示されるレーザ２０１と同様であってよく、特性
0005978611.tif 000025
を有する信号を生成してよい。ここで、φLN（ｔ）は、時間の関数としての搬送信号２０４の位相ノイズである。ＩＱ変調器２０６は、図２Ａおよび図２Ｂに示されるＩＱ変調器２０６と同様であってよい。
【００１８】
レーザ位相ノイズ計測モジュール３０１は、受信されたレーザ信号（例えばレーザ２０１からのもの）に基づいて、そのレーザ信号に存在するレーザ位相ノイズを計測するように構成される任意のシステム、デバイス、または装置であってよい。図４は、本開示の実施形態による、レーザ位相ノイズ計測モジュール３０１の例を示す。図４に示されるように、レーザ位相ノイズ計測モジュール３０１は、平衡型光検出器および遅延線干渉計４０２（例えばＭａｃｈ−Ｚｅｈｎｄｅｒ干渉計またはＭｉｃｈｅｌｓｏｎ干渉計）を備えてよい。遅延線干渉計４０２は、レーザ２０１によって生成され特性
0005978611.tif 000026
によって表現されるレーザ信号を受信してよい。ここで、φLN（ｔ）は、時間の関数としてのレーザ信号の位相ノイズである。遅延線干渉計は、そのレーザを２つのビームに分割してよい。そこで、一つのビームは他のビームに対して、π／２の位相オフセット（例えば図４に示される）を有する所望の時間間隔τだけ相対的に時間遅延している。そのようなアプローチを用いることにより、位相ノイズφLN（ｔ）は、以下のような方程式によって評価されてよい。この方程式は、プロセッサ３０２またはシステム３００の他の適切なデバイスによって解かれてよい。
【００１９】
【数７】
0005978611.tif 000027
【００２０】
プロセッサ３０２は、プログラム命令および／または実行データを解釈しおよび／または実行するように構成される任意のシステム、デバイス、または装置を含んでよく、また、プログラム命令および／または実行データを解釈しおよび／または実行するように構成されるマイクロプロセッサ、マイクロコントローラ、デジタル信号処理装置（ＤＳＰ）、特定用途向け集積回路（ＡＳＩＣ）、または任意の他のデジタルまたはアナログ回路を含んでよいが、これらに限定されるものではない。図３に示されるように、プロセッサ３０２は、プロセッサ３０２のためのブロック内に示されるフローチャートに従って、光ＩＱ変調器２０６のための電気的ＱＡＭ入力信号または複素信号を計算してよい。例えば、プロセッサ３０２は、レーザ２０１のレーザ位相（または周波数）ノイズ、あるいはそのようなノイズを示すいくつかの他のパラメータを評価してよい。例えばいくつかの実施形態において、レーザ位相の時間差分が計算されてよく、そして、プロセッサまたは他のデバイスがそのような計測に基づいてレーザ位相ノイズを評価してよい。他の例として、いくつかの実施形態において、レーザ位相ノイズ計測モジュール３０１の代わりに、レーザ２０１の各周波数誤差ωerror を計測するレーザ周波数誤差計測モジュールが使用されてもよい。ここで、ωerror （ｔ）＝ω（ｔ）−ω0 である。このケースにおいて、ω（ｔ）はレーザの各周波数であり、ω0 は目標とされる各周波数となるであろう。そのような計測に基づいて、プロセッサ３０２は、補償されるべき位相ノイズ
0005978611.tif 000028
を計算し、電気的ＱＡＭ入力信号のための補償項
0005978611.tif 000029
を生成することができる。さらに他の実施形態として、いくつかの実施形態において、プロセッサ３０２は、レーザ位相ノイズ計測モジュール３０１によって実行される計測に基づいて位相ノイズを計算することができてよい。
【００２１】
加えて、プロセッサ３０２は、データ３０６を読み取り、電気的ＱＡＭ入力信号のための成分
0005978611.tif 000030
を計算してよい。さらに、プロセッサ３０２は、波長追跡データを読み取り、電気的ＱＡＭ入力信号のための
0005978611.tif 000031
を有するパイロットトーンを生成してよい。いくつかの実施形態において、波長追跡のためのパイロットトーンの生成は、選択的であってよく、もし選択されないならば実行されなくてよい。その場合には、項
0005978611.tif 000032
は計算されない。
【００２２】
図３に示されるように、プロセッサ３０２は、電気的ＱＡＭ入力信号をデジタル信号として生成するために、変調成分、位相ノイズ補償、および（もしあるならば）波長追跡のためのパイロットトーンに対する項を合計してよい。ＤＡＣ３１０は、プロセッサ３０２からのデジタル信号を受信し、そのデジタル信号をアナログ電気的ＱＡＭ入力信号に変換してよい。
【００２３】
遅延モジュール３０４は、その入力において信号を処理し、その出力においてその入力信号の時間遅延されたバージョンを生成するように構成される任意のシステム、デバイス、または装置であってよい。システム３００において、そのような遅延は、補償されるべき位相ノイズを計測しおよび／または計算してそのような補償をＩＱ変調器２０６にフィードフォワードするために、プロセッサ３０２によって要求される時間を補償するのに必要とされてよい。
【００２４】
図３に示されるように、ＩＱ変調器２０６は、位相ノイズ補償および波長追跡の両方が利用される実施例では、ＩＱ変調器２０６への電気的ＱＡＭ入力信号
0005978611.tif 000033
および
0005978611.tif 000034
に基づいて、変調出力信号Ｕ’’（ｔ，ω0 ）を生成してよい。その代わりに、ＩＱ変調器は、位相ノイズ補償は利用されるが波長追跡は利用されない実施例では、電気的ＱＡＭ入力信号
0005978611.tif 000035
および
0005978611.tif 000036
に基づいて、変調出力信号Ｕ（ｔ，ω0 ）を生成してよい。
【００２５】
図５は、本開示の実施形態による、波長分割多重化のためのレーザ位相補償の実施例を示す。図５に示されるように、システム５００は、相対的位相／周波数誤差検出器、ＩＱ変調器１０６、およびマルチプレクサ５０４を含んでよい。システム５００の使用において、レーザ２０１ａと２０１ｂはそれぞれ、対応する搬送信号２０４ａと２０４ｂを生成してよい。それらはそれぞれ、特性
0005978611.tif 000037
および
0005978611.tif 000038
を有する。ここで、φLN,0（ｔ）は時間の関数としての搬送信号２０４ａの位相ノイズであり、φLN,1（ｔ）は時間の関数としての搬送信号２０４ｂの位相ノイズである。
【００２６】
誤差検出器５０２は、搬送信号２０４ａおよび２０４ｂを受信して比較し、そのような比較に基づいて、搬送信号２０４ａ及び２０４ｂ間の位相誤差を示す信号（例えば特性
0005978611.tif 000039
を有する信号）を生成するように構成される任意のシステム、デバイス、または装置を備えてよい。図６は、本開示の実施形態による、誤差検出器５０２の例を示す。図６に示されるように、誤差検出器５０２は、光カプラおよび平衡型光検出器６０２と、６０４および６０６からなる電気遅延線弁別器を含んでよい。カプラおよび平衡型光検出器６０２は、搬送信号２０４ａおよび２０４ｂ間の差を示す中間ＲＦ信号を生成するように構成される任意のシステム、デバイス、または装置を含んでよい。そのような中間信号は、特性
0005978611.tif 000040
によって表現されてよい。遅延線混合器６０４は、中間ＲＦ信号を、２つの信号に分割しそれらの信号を混合するように構成される任意のシステム、デバイス、または装置を含んでよい。そこで、一つのＲＦ信号は他のＲＦ信号に対して、π／２の位相オフセット（図６）を有する所望の時間間隔τだけ相対的に時間遅延している。ローパスフィルタ６０６（およびそれによって構成される誤差検出器５０２）は、搬送信号２０４ａおよび２０４ｂ間の相対的な位相誤差を示す信号を出力してよい。
【００２７】
ＩＱ変調器１０６ａおよび１０６ｂは、それぞれ、ＩＱ変調器１０６ａおよび１０６ｂへのＱＡＭ入力信号に基づいて搬送信号２０４ａおよび２０４ｂを変調し、変調信号１０８ａおよび１０８ｂを生成してよい。ＩＱ変調器１０６ａおよび１０６ｂのうちの一つへのＱＡＭ入力信号は、誤差検出器５０２によって生成される信号と合成され、そのように合成された信号はそれに対応する搬送信号２０４ａまたは２０４ｂを変調するのに使用されてよい。
【００２８】
マルチプレクサ５０４は、変調信号１０８ａおよび１０８ｂを波長分割多重化信号に合成するように構成される任意のシステム、デバイス、または装置であってよい。レーザ間の相対的な位相ノイズのキャンセルにより、光スペクトラム域における信号１１０は、高速データ通信を可能にする高スペクトラム効率を有する光“スーパーチャネル”を備えることができる。２つの光搬送波は、相対的な位相ノイズのキャンセルにより、それらが一つの光波源から到来したように、スーパーチャネルに対して仮想的に相互に位相ロックされる。いくつかの実施形態において、信号１００は、継ぎ目が無く連続的な光データスペクトラムを提供することができる。
【００２９】
送信器２０２、システム３００、またはシステム５００の構成要素は、インタフェース、ロジック、メモリ、および／または他の適切な構成部分を含んでよい。インタフェースは、入力を受信し、出力を送信し、入力および／または出力を処理し、および／または他の適切な動作を実行する。インタフェースは、ハードウェアおよび／またはソフトウェアを備えてよい。
【００３０】
ロジックは、構成要素の動作を実行する。例えば、入力から出力を生成する命令を実行する。ロジックは、ハードウェア、ソフトウェア、および／または他の論理を含んでよい。ロジックは、一つ以上の有形コンピュータ読出し可能記憶媒体にコード化されてよく、コンピュータによって実行されたときに動作を実行してよい。プロセッサのような或るロジックは、構成要素の動作を管理してよい。プロセッサの例としては、一つ以上のコンピュータ、一つ以上のマイクロプロセッサ、一つ以上のアプリケーション、および／または他の論理を含む。
【００３１】
メモリは、情報を記憶する。メモリは、一つ以上の有形な、コンピュータ読出し可能な、および／またはコンピュータ実行可能な記憶媒体を備えてよい。メモリの例としては、コンピュータメモリ（例えば、ランダムアクセスメモリ（ＲＡＭ）またはリードオンリーメモリ（ＲＯＭＵ））、大容量記憶媒体（例えば、ハードディスク）、取外し可能記憶媒体（例えば、コンパクトディスク（ＣＤ）またはデジタルビデオディスク（ＤＶＤ））、データベースおよび／またはネットワーク記憶（例えば、サーバ）、および／または他のコンピュータ読出し可能媒体を含む。
【００３２】
本開示内容の技術的範囲から逸脱しない限り、変形、追加、または省略が、送信器２０２、システム３００、および／またはシステム５００に対してなされてよい。光送信器２０２、システム３００，および／またはシステム５００の構成要素は、統合されてよく、分離されてよい。さらに、送信器２０２、システム３００、および／またはシステム５００の動作は、より多く、より少なく、または他の構成要素によって実行されてよい。加えて、送信器２０２、システム３００、および／またはシステム５００の動作は、任意の適切なロジックを用いて実行されてよい。本書類において使用されるとき、“それぞれの”は、ある組のそれぞれの要素またはある組の部分集合のそれぞれの要素を参照する。
【００３３】
本発明は、いくつかの実施形態を用いて記載されたが、様々な変更または変形が当業者によって想起されてよい。本発明は添付の特許請求の範囲に含まれるようにそのような変更または変形を包含することを意図するものである。
【図１】
0005978611.tif 000041
【図２Ａ】
0005978611.tif 000042
【図２Ｂ】
0005978611.tif 000043
【図３】
0005978611.tif 000044
【図４】
0005978611.tif 000045
【図５】
0005978611.tif 000046
【図６】
0005978611.tif 000047